(57)【要約】【課題】設置スペースを削減できかつ操作性も良好な遊技盤の取付構造を提供する。  【解決手段】遊技盤３を本体枠２に前方から取り付ける取付構造であって、遊技盤３に対して直線的に進出位置と後退位置との間で移動可能に本体枠２側に固定部材４Ａ，４Ｂを設け、当該固定部材４Ａ，４Ｂには、進出位置にて遊技盤３の前面に当接して当該遊技盤３の前面位置を位置決めする第1当接面を形成するとともに、上記進出位置にて遊技盤３の側面に当接して遊技盤３を左右方向で位置決めする第２当接面を形成する。【選択図】        図１
2010172372.tif 000002
【特許請求の範囲】
【請求項１】
遊技盤を本体枠に前方から取り付ける取付構造であって、遊技盤に対して直線的に進出位置と後退位置との間で移動可能に本体枠側に固定部材を設け、当該固定部材には進出位置にて遊技盤の前面に当接して、当該遊技盤の前面位置を位置決めする第1当接面を形成したことを特徴とする遊技盤の取付構造。
【請求項２】
前記固定部材にはさらに、その進出位置にて遊技盤の側面に当接して、遊技盤を前記前後方向と直交する方向で位置決めする第２当接面を形成した請求項1に記載の遊技盤の取付構造。
【請求項３】
前記固定部材は本体枠に設けた案内部材に装着されてこれに沿って直線移動可能となっており、前記固定部材は後退位置で前記遊技盤の側縁に形成された凹部内に位置して、当該凹部内から側縁上へ進出させられるようになっている請求項１又は２に記載の遊技盤の取付構造。 
【発明の詳細な説明】
【技術分野】
【０００１】
本発明は遊技盤の取付構造に関し、特に、パチンコ遊技機等においてその遊技盤を本体枠に取り付けるのに適した遊技盤の取付構造に関する。  
【背景技術】
【０００２】
遊技盤を着脱可能に前方から本体枠に取り付けて、遊技盤の取替えが必要な場合に即座に対応できるようにした取付構造が、例えば特許文献１に示されている。この取付構造では、軸直方向へ係止部を突出させた回転式の係合部を本体枠に設ける一方、遊技盤には取付部を設けて、当該取付部に、上記係止部を所定角度へ回動させたときにのみ当該係止部が通過できる長孔状の貫通孔を設けてある。これにより、上記係止部を貫通孔に通過させた後、係合部を上記所定角度からほぼ９０度回動させて、係止部を貫通孔の周縁に係合させることによって遊技盤を取付部、すなわち本体枠に位置決め固定している。
【先行技術文献】
【特許文献】
【０００３】
【特許文献１】特開２００３−２２０２４８
【発明の概要】
【発明が解決しようとする課題】
【０００４】
しかし、上記従来の取付構造では、係止部を回動操作するために広い操作空間が必要であるため、広い設置スペースを必要とするという問題がある。そして、遊技盤の遊技領域外の限られたスペースに上記取付構造を設ける必要があるため、遊技機関連の発給証紙等を貼るスペースが制限され、上記従来の遊技盤では、例えば上記係合部を覆うように設けた保護カバー上に発給証紙貼付用のスペースを確保している。また、回動操作式の従来の取付構造では、遊技盤の固定状態を解除する際、又は遊技盤を本体枠に取り付ける際には所定の角度位置へ係合部を回動させて、その係止部を貫通孔に合致させる必要があるため操作性が悪いという問題があった。
【０００５】
そこで、本発明はこのような課題を解決するもので、設置スペースを削減できかつ操作性も良好な遊技盤の取付構造を提供することを目的とする。
【課題を解決するための手段】
【０００６】
上記目的を達成するために、本第１発明では、遊技盤（３）を本体枠（２）に前方から取り付ける取付構造であって、遊技盤（３）に対して直線的に進出位置と後退位置との間で移動可能に本体枠（２）側に固定部材（４Ａ，４Ｂ）を設け、当該固定部材（４Ａ，４Ｂ）には進出位置にて遊技盤（３）の前面に当接して、当該遊技盤（３）の前面位置を位置決めする第1当接面（４１１）を形成したことを特徴とする。
【０００７】
本第１発明においては、固定部材は直線的に進出位置へ移動させられて遊技盤を位置決めするものであるから、従来のような係合部を回動操作するための広い操作領域を確保する必要はなく、設置スペースを削減することができる。これにより、従来のように保護カバー上ではなく、遊技盤面に直接、発給証紙貼付用等のスペースを確保することができる。また、従来のような貫通孔と係止部の位置合わせをする必要がないから、操作性も良好である。さらに、遊技盤の前面位置を位置決めする第１当接面を設けたことにより、遊技盤を本体枠に取り付けた時の遊技盤の前面位置が規定される。これにより、発射機等から発射供給され遊技盤の前面に流入してくる遊技球の球飛び軌跡が安定し適切な遊技を行うことことができる。
【０００８】
本第２発明では、上記固定部材（４Ａ，４Ｂ）にはさらに、その進出位置にて遊技盤（３）の側面に当接して、遊技盤（３）を上記前後方向と直交する方向で位置決めする第２当接面（４３１）を形成する。
【０００９】
本第２発明においては、固定部材の単一直線操作によって、前後方向とこれと直交する方向（例えば、左右方向、上下方向）の二方向で遊技盤を同時に位置決めすることができる。したがって、遊技盤を本体枠に取り付けた時の遊技盤の前面位置や左右位置等を規定することができるので、遊技球の球飛び軌跡が安定し適切な遊技を行うことができる。
【００１０】
本第３発明では、上記固定部材（４Ａ，４Ｂ）は本体枠（２）に設けた案内部材（５）に装着されてこれに沿って直線移動可能となっており、固定部材（４Ａ，４Ｂ）は後退位置では遊技盤（３）の側縁に形成された凹部（３５，３６）内に位置して、当該凹部（３５，３６）内から側縁上へ進出させられるようになっている。
【００１１】
本第３発明においては、固定部材を遊技盤の最大仮想外形線内でのみ移動させることができるから、固定部材の設置、及び移動操作において本体枠に設けられる他部材（施錠装置等）との干渉を避けることができ、適切な部材配置をすることができる。また、案内部材を設けたことにより、安定した直線移動を実現することができる。
【００１２】
ここで、進出位置にて固定部材の当接面が当接する遊技盤の前面や側面には、遊技盤に一体に設けたレール飾り等の装飾部材の前面や側面が含まれる。また、上記カッコ内の符号は、後述する実施形態に記載の具体的手段との対応関係を示すものである。
【発明の効果】
【００１３】
以上のように、本発明の遊技盤の取付構造によれば、設置スペースを削減できるとともに、操作性も良好である。
【図面の簡単な説明】
【００１４】
【図１】本発明の一実施形態を示す、ガラス枠を取り除いた状態の、パチンコ遊技機の正面図である。
【図２】固定部材が後退位置にある時の遊技盤の右辺下端部の詳細を示す拡大斜視図である。
【図３】固定部材の全体側面図である。
【図４】図３の矢印方向から見た固定部材の端面図である
【図５】固定部材が進出位置にある時の遊技盤の右辺下端部の詳細を示す拡大斜視図である。
【図６】固定部材が進出位置にある時の遊技盤の右辺下端部の詳細を示す正面図である。
【図７】固定部材が進出位置にある時の遊技盤の右辺下端部の断面図である。
【発明を実施するための形態】
【００１５】
図1には、ガラス枠を取り去った状態の、パチンコ遊技機の正面図を示す。パチンコ遊技機は図略のヒンジ機構により回動開閉可能に外枠に装着された本体枠２を備えており、当該本体枠２の上半部内に矩形の遊技盤３が挿置されている。図1は本体枠２内に挿置された遊技盤３が未だ固定されていない状態を示す。なお、遊技盤３は略円形の遊技領域３１を区画するレール３２のみを図示し、他は図示を省略してある。また、本体枠２の下半部内には遊技盤３の遊技領域３１に向けて遊技球を発射供給する発射機（図示略）が備えられている。
【００１６】
図1において、遊技盤３はその下辺が、本体枠２の図略の水平枠部上に載置されて荷重が支持されており、また、遊技盤３の、正面から見た左辺３３は本体枠２の側枠の上下に形成された取付片３７の背面側に差し込まれて図略の板バネ部材（付勢部材）により前方に付勢された状態で固定されている。これにより、遊技盤の左側部の前面位置は取付片３７の背面により位置決めされることとなり、前面位置が規定されている。遊技盤３の、正面から見た右辺３４は上下端部の二箇所が略矩形に切り欠かれて、凹部としての切欠き部３５，３６が形成されており、これら切欠き部３５，３６内に詳細を後述する固定部材４Ａ，４Ｂがそれぞれ位置している。上側および下側の各固定部材４Ａ，４Ｂは同一構造であり、図２には下側の固定部材４Ａが位置する遊技盤３の右辺３４下端部の詳細を示す。
【００１７】
図２において、遊技盤３の右辺３４に近接する本体枠２の側枠下端部にはこれに沿って上下方向へ案内部材としての案内レール５が設けてあり、固定部材４Ａは後述する構造で案内レール５に摺動可能に装着されて上下方向へ直線的に移動（スライド移動）できるようになっている。固定部材４Ａの側面図を図３に、図３の矢印方向から見た固定部材４Ａの端面図を図４に示す。固定部材４Ａは正面視（図１）で長方形の頂壁４１を有し、その一方の短辺とこれに隣接する長辺に、後方（図３の下方）へ向けて一定高さの側壁４２，４３が垂直に形成されている。また、頂壁４１の前面中央には板状の操作部４４が突出形成されている。
【００１８】
固定部材４Ａの頂壁４１の後面（図３の下面）および側壁４３の内側面はそれぞれ当接面４１１，４３１となっている。これら当接面４１１，４３１はいずれも、一方の短辺側から長手方向の中央位置までは頂壁４１および側壁４３の肉厚を一定に維持する平面部４１１ａ，４３１ａに形成されるとともに、中央位置から他方の短辺に向けては頂壁４１および側壁４３の肉厚が漸次薄くなるような、外方へ開いたテーパ面部４１１ｂ，４３１ｂとなっている（図４）。
【００１９】
固定部材４Ａの側壁４３の外側面には幅方向（図３、図４の上下方向）の中央部に、長手方向へ延びる案内突条４５が形成されている。案内突条４５は図４に示すように、側壁４３の外側面から立ち上がる板状の脚部４５１とこれに直交する板状の頭部４５２からなるＴ字断面に形成されている。一方、案内レール５には上記案内突条４５の断面形状に倣った凹溝５１が形成されており（図７参照）、固定部材４Ａは案内突条４５が案内レール５の凹溝５１内に嵌装されて、直線状の案内レール５に沿って摺動移動可能となっている。案内レール５は固定部材４Ａの２倍強の長さとなっており（図２）、固定部材４Ａは、切欠き部３５内に位置する後退位置（図２に示す位置）と、案内レール５に沿って、後述する遊技盤３の右辺３４側縁を位置決めするための進出位置との間で遊技盤３に略平行に直線的に移動できる。以上、下側の固定部材４Ａについて説明したが、上側の固定部材４Ｂ（図１）についても同様である。
【００２０】
このような取付構造において、上下の固定部材４Ａ，４Ｂを後退位置に移動させた状態で、遊技盤３はその切欠き部３５，３６によって固定部材４Ａ，４Ｂを避けて、既述のように本体枠２内に挿置される（図１の状態）。なお、遊技盤３の右辺３４は案内レール５を避けるようにこの部分が切り欠かれている。この状態で遊技盤３を本体枠２に取り付けるには、上下の各固定部材４Ａ，４Ｂを案内レール５に沿って下方へ直線的に移動させ、これらを進出位置に置く。ここで、図５には下側固定部材４Ａを進出位置へ移動させた状態の斜視図を示し、図６にはその正面図を示す。
【００２１】
固定部材４Ａを進出位置へ移動させる間に、その当接面４１１のテーパ面部４１１ｂが遊技盤３の右辺３４の側縁前面に当接し、これを図７の矢印で示すように後方（図７の下方）の本体枠２に向けて漸次押しやる。なお、本実施形態における遊技盤３はベニヤ板で形成されている。樹脂製の本体枠２の右側端には、遊技盤３の背後に当接するように弾性変形可能な板バネ部材（付勢部材）２１が複数配設してある。これにより、固定部材４Ａの当接面４１１の平面部４１１ａが遊技盤３の前面に当接した状態で、遊技盤３は図７に示すように、前後から上記平面部４１１ａと板バネ部材２１の頂面とで挟持されることにより、固定部材４Ａの当接面４１１の平面部４１１ａに当接する遊技盤３前面を基準にして位置決め固定される。上記板バネ部材２１、および既述の左側に設けた板バネ部材と、遊技盤３の背面側とが当接して遊技盤３が本体枠２に取り付けられることにより、遊技盤３の背面と本体枠２のそれと対面する部位との間には若干の隙間が形成された状態で遊技盤３が挿置されることとなる。このように、遊技盤３の材料として環境等によってその厚み寸法に若干の変化が生じるベニヤ板を用いた場合にも、固定部材４により遊技盤３の前面位置を位置決めさせ、また、遊技盤３の背面側からその変化分を吸収して固定部材４側に向けて遊技盤３を付勢させる板バネ部材２１を設けることにより、遊技盤３の前面位置を適切に規定することができる。これにより、本体枠２に備えられている発射機から発射供給される遊技球を、同様に本体枠２に対して、遊技領域３１が設けられた前面を基準にして取り付けられている遊技盤３に供給させることができるので、遊技球の球飛び軌跡が安定し、適切な遊技を行うことができる。
【００２２】
固定部材４Ａが進出位置へ移動する過程で、本実施形態では、当接面４３１のテーパ面部４３１ｂが遊技盤３の右辺３４の側面に当接して遊技盤３を図７の矢印で示すように左方へ押しやる。これにより、遊技盤３は左辺３３（図１）側面が、本体枠２の側枠に形成された取付面に押し付けられて位置決め固定される。このようにして、遊技盤３が本体枠２に取り付けられる。遊技盤３を本体枠２から取り外す場合には、固定部材４Ａ，４Ｂを切欠き部３５，３６内の後退位置へ移動させた後、遊技盤３を本体枠２内から手前側へ引き出す。
【００２３】
本実施形態によれば、正面視で長方形状とした固定部材４Ａ，４Ｂを、遊技盤３の右辺側縁に沿ってその長手方向へ直線的に移動させることによって遊技盤３を位置決め固定することができるから、遊技盤３の遊技領域３１外でかつ、その凹所を無視した遊技盤３の最大仮想外形線Ｌ（図２、図５）内に、固定部材４Ａ，４Ｂをコンパクトに設けることができ、本体枠２に設けられた施錠装置等の他部材との干渉を避けることができる。加えて、従来の取付構造ような、回動操作するための広い操作領域を確保したり、複数の指を挿入する空間を確保する必要がないから、設置スペースが削減され、図１、図２、図５に示すように、遊技機関連の発給証紙Ｐ等を貼るための十分な空きスペースを遊技盤３面に確保することができる。
【００２４】
なお、遊技盤２は全体を透明な樹脂板で構成しても良い。また、遊技盤３の前面側にレール飾り等の樹脂製の装飾部材や、固定部材４Ａ，４Ｂと当接する樹脂製の固定受け部材を別途一体的に設け、該部材と固定部材４Ａ，４Ｂとを当接させて遊技盤３を固定するようにしても良い。その場合、本体枠２側に固定受け部材の背面側と当接する受け部を、遊技盤３が本体枠２に取り付けられたときに遊技盤３の背面と本体枠２のそれと対面する部位との間に若干の隙間が形成されるように突出形成させ、固定部材４Ａ，４Ｂと受け部とで固定受け部材を挟持することによって同様の位置決めが行われる。また、固定部材４Ａ，４Ｂ単体で上記固定受け部材を前後から挟持させて同様の位置決め固定をしても良い。これらの場合には、本体枠２側に別途板バネ部材を設ける必要が無くなるので、部品点数の削減が可能となる。また、遊技盤２を覆うガラス枠の後面に突起を設けて、固定部材４Ａ，４Ｂが後退位置にあるときは突起がこれら固定部材４Ａ，４Ｂに干渉してガラス枠を閉じられないようにすれば、固定部材４Ａ，４Ｂを進出させて遊技盤２を固定した状態での遊技機使用を確実に保証することができる。上記実施形態では固定部材を遊技盤の右辺側に設けたが、左辺側、あるいは上辺側、下辺側、さらには左右、上下の両側に設けても良い。また、固定部材４Ａ，４Ｂを直線的に移動させる機構は上記実施形態に限られるものではなく、直線的な移動を可能にするものであればその他の機構を用いても良い。さらに、本発明の適用対象はパチンコ遊技機に限られるものではなく、アレンジボール遊技機等のその他の遊技機に用いても良い。
【符号の説明】
【００２５】
２…本体枠、３…遊技盤、３５，３６…切欠き部（凹部）、４Ａ，４Ｂ…固定部材、４１１…当接面（第1当接面）、４３１…当接面（第２当接面）、５…案内レール（案内部材）。
【図１】
2010172372.tif 000003
【図２】
2010172372.tif 000004
【図３】
2010172372.tif 000005
【図４】
2010172372.tif 000006
【図５】
2010172372.tif 000007
【図６】
2010172372.tif 000008
【図７】
2010172372.tif 000009